(57)【要約】【課題】辞書へのデータ登録に関し、商品の種別に応じた置換方法で既存データと置換することが可能な情報処理装置及びプログラムを提供する。【解決手段】登録の対象となる対象物の種別の入力を受け付ける受付手段と、撮像手段が撮像した画像を取り込む取込手段と、前記撮像手段で撮像された前記対象物の特徴量を前記画像から抽出する抽出手段と、前記対象物の種別毎に定められた置換方法に基づき、前記入力された種別に関連付けて辞書に登録された既存の特徴量と、前記抽出手段が抽出した新たな特徴量とを置換することで、当該新たな特徴量を前記辞書に登録する登録手段と、を備える。【選択図】図９
2016012324.tif 000002
【特許請求の範囲】
【請求項１】
登録の対象となる対象物の種別の入力を受け付ける受付手段と、
撮像手段が撮像した画像を取り込む取込手段と、
前記撮像手段で撮像された前記対象物の特徴量を前記画像から抽出する抽出手段と、
前記対象物の種別毎に定められた置換方法に基づき、前記入力された種別に関連付けて辞書に登録された既存の特徴量と、前記抽出手段が抽出した新たな特徴量とを置換することで、当該新たな特徴量を前記辞書に登録する登録手段と、
を備える情報処理装置。
【請求項２】
前記辞書に前記新たな特徴量を格納するための空領域があるか否かを判定する判定手段を更に備え、
前記登録手段は、前記空領域があると判定された場合、当該空領域に前記新たな特徴量を登録し、前記空領域がないと判定された場合、前記入力された種別に対応する前記置換方法を用いて前記新たな特徴量を登録する請求項１に記載の情報処理装置。
【請求項３】
前記登録手段は、前記対象物の種別に対応する前記置換方法として、登録日時の古いものから置換することが定められている場合、前記既存の特徴量の中で登録日時が最も古い特徴量と、前記新たな特徴量とを置換する請求項１又は２に記載の情報処理装置。
【請求項４】
前記登録手段は、前記対象物の種別に対応する前記置換方法として、ランダムに置換することが定められている場合、前記既存の特徴量の中からランダムに選択した特徴量と、前記新たな特徴量とを置換する請求項１〜３の何れか一項に記載の情報処理装置。
【請求項５】
前記登録手段は、前記対象物の種別に対応する前記置換方法として使用頻度の低いものから置換することが定められている場合、前記既存の特徴量の中で使用頻度の最も低い特徴量と、前記新たな特徴量とを置換する請求項１〜４の何れか一項に記載の情報処理装置。
【請求項６】
コンピュータを、
登録の対象となる対象物の種別の入力を受け付ける受付手段と、
撮像手段が撮像した画像を取り込む取込手段と、
前記撮像手段で撮像された前記対象物の特徴量を前記画像から抽出する抽出手段と、
前記対象物の種別毎に定められた置換方法に基づき、前記入力された種別に関連付けて辞書に登録された既存の特徴量と、前記抽出手段が抽出した新たな特徴量とを置換することで、当該新たな特徴量を前記辞書に登録する登録手段と、
して機能させるためのプログラム。
【発明の詳細な説明】
【技術分野】
【０００１】
本発明の実施形態は、情報処理装置及びプログラムに関する。
【背景技術】
【０００２】
従来、物品を撮像した画像から抽出される特徴量と、辞書に予め登録された照合用の特徴量とを比較し、その類似度に応じて当該物品の種別等を認識する一般物体認識に係る技術が存在している。また、この一般物体認識に係る技術を、青果品等の商品の識別に用いて、識別された商品を売上登録する店舗システムが提案されている。このような一般物体認識での認識精度は、辞書登録された特徴量の精度に依存する。係る特徴量は、認識時と同様に、登録対象の対象物を撮像した撮像画像から抽出される。
【０００３】
ところで、認識精度の改善等のため、新たな特徴量を取得して辞書へ登録を行う、所謂学習を実施するような場合がある。このとき、辞書に登録できるデータ数は有限であるため、辞書に空領域がない場合には、元々登録されていたデータの一部と置換することが行われる。しかしながら、季節によって外観が変化する商品等もあるため、全ての商品について一様にデータの置換を行うと、かえって認識精度が低下してしまう可能性がある。
【発明の概要】
【発明が解決しようとする課題】
【０００４】
本発明が解決しようとする課題は、辞書へのデータ登録に関し、商品の種別に応じた置換方法で既存データと置換することが可能な情報処理装置及びプログラムを提供することである。
【課題を解決するための手段】
【０００５】
実施形態の情報処理装置は、受付手段と、取込手段と、抽出手段と、登録手段とを備える。受付手段は、登録の対象となる対象物の種別の入力を受け付ける。取込手段は、撮像手段が撮像した画像を取り込む。抽出手段は、前記撮像手段で撮像された前記対象物の特徴量を前記画像から抽出する。登録手段は、前記対象物の種別毎に定められた置換方法に基づき、前記入力された種別に関連付けて辞書に登録された既存の特徴量と、前記抽出手段が抽出した新たな特徴量とを置換することで、当該新たな特徴量を前記辞書に登録する。
【図面の簡単な説明】
【０００６】
【図１】図１は、本実施形態に係るチェックアウトシステムの一例を示す斜視図である。
【図２】図２は、図１に示したＰＯＳ端末及び商品読取装置のハードウェア構成を示すブロック図である。
【図３】図３は、図２に示したＰＬＵファイルのデータ構成を例示する概念図である。
【図４】図４は、図２に示した辞書管理ファイルのデータ構成を例示する概念図である。
【図５】図５は、図２に示した置換方法設定ファイルのデータ構成を例示する概念図である。
【図６】図６は、図１に示したＰＯＳ端末の機能構成を示すブロック図である。
【図７】図７は、画像取込部によって取り込まれた画像の一例を示す図である。
【図８】図８は、商品候補画面の表示例を示す図である。
【図９】図９は、図６に示した辞書登録に係る機能部間の関係を示す図である。
【図１０】図１０は、本実施形態のＰＯＳ端末が実行する売上登録処理の一例を示すフローチャートである。
【図１１】図１１は、本実施形態のＰＯＳ端末が実行する辞書登録処理の一例を示すフローチャートである。
【図１２】図１２は、セルフＰＯＳの構成を示す外観斜視図である。
【図１３】図１３は、セルフＰＯＳのハードウェア構成を示すブロック図である。
【発明を実施するための形態】
【０００７】
以下では、チェックアウトシステムを例に本実施形態に係る情報処理装置及びプログラムについて、図面を参照して説明する。店舗システムは、一取引に係る商品の登録、精算を行うＰＯＳ端末を備えるチェックアウトシステム（ＰＯＳシステム）等である。本実施形態は、スーパーマーケット等の店舗に導入されたチェックアウトシステムへの適用例である。
【０００８】
図１は、チェックアウトシステム１の一例を示す斜視図である。図１に示すように、チェックアウトシステム１は、一取引に係る商品の登録・精算を行うＰＯＳ端末１０と、商品に関する情報を読み取る商品読取装置２０とを備える。以下では、ＰＯＳ端末１０を本実施形態にかかる情報処理装置として適用する例について説明する。
【０００９】
ＰＯＳ端末１０は、チェックアウト台３０上のドロワ４０上面に載置されている。ドロワ４０は、ＰＯＳ端末１０によって開放動作の制御を受ける。ＰＯＳ端末１０の上面には、オペレータ（店員）によって押下操作されるキーボード１１が配置されている。キーボード１１を操作するオペレータから見てキーボード１１よりも奥側には、オペレータに向けて情報を表示する第１表示デバイス１２が設けられている。第１表示デバイス１２は、その表示面１２ａに情報を表示する。表示面１２ａには、タッチパネル１３が積層されている。第１表示デバイス１２よりも更に奥側には、第２表示デバイス１４が回転可能に立設されている。第２表示デバイス１４は、その表示面１４ａに情報を表示する。なお、第２表示デバイス１４は、表示面１４ａを図１中奥側に向くように回転させることによって、顧客に向けて情報を表示する。
【００１０】
ＰＯＳ端末１０が載置されているチェックアウト台３０とＬ字を形成するようにして、横長テーブル状のカウンタ台５０が配置されている。カウンタ台５０の上面には、荷受け面５１が形成されている。荷受け面５１には、商品Ｇを収納する買物カゴ６０が載置される。買物カゴ６０は、顧客によって持ち込まれる第１買物カゴ６０ａと、第１買物カゴ６０ａから商品読取装置２０を挟んだ位置に載置される第２買物カゴ６０ｂとに分けて考えることができる。なお、買物カゴ６０は、いわゆるカゴ形状のものに限るものではなく、トレー等であってもよい。また、買物カゴ６０（第２買物カゴ６０ｂ）は、いわゆるカゴ形状のものに限らず、箱状や袋状等であってもよい。
【００１１】
カウンタ台５０の荷受け面５１には、ＰＯＳ端末１０とデータ送受信可能に接続された商品読取装置２０が設置されている。商品読取装置２０は、薄型矩形形状のハウジング２１を備える。ハウジング２１の正面には読取窓２２が配置されている。ハウジング２１の上部には、表示・操作部２３が取り付けられている。表示・操作部２３には、タッチパネル２４が表面に積層された表示部である第１表示デバイス２５が設けられている。第１表示デバイス２５の右隣にはキーボード２６が配設されている。キーボード２６の右隣には、図示しないカードリーダのカード読取溝２７が設けられている。オペレータから見て表示・操作部２３の裏面左奥側には、顧客に情報を提供するための第２表示デバイス２８が設置されている。
【００１２】
このような商品読取装置２０は、商品読取部２１０（図２参照）を備えている。商品読取部２１０は、読取窓２２の奥側に撮像部２０４（図２参照）を配置している。
【００１３】
顧客によって持ち込まれた第１買物カゴ６０ａには、一取引に係る商品Ｇが収納されている。第１買物カゴ６０ａ内の商品Ｇは、商品読取装置２０を操作するオペレータにより第２買物カゴ６０ｂに移動される。この移動過程で、商品Ｇが商品読取装置２０の読取窓２２に向けられる。この際、読取窓２２内に配置された撮像部２０４（図２参照）は商品Ｇを撮像する。
【００１４】
商品読取装置２０では、撮像部２０４により撮像された画像に含まれる商品Ｇが、後述するＰＬＵファイルＦ１（図３参照）に登録されたどの商品に対応するかを指定させるための画面を表示・操作部２３に表示する。そして、商品読取装置２０は、指定された商品の商品ＩＤをＰＯＳ端末１０に通知する。ＰＯＳ端末１０では、商品読取装置２０から通知される商品ＩＤに基づき、当該商品ＩＤに対応する商品の商品分類、商品名、単価等の売上登録に係る情報を、売上マスタファイル（図示せず）等に記録して売上登録を行う。
【００１５】
図２は、ＰＯＳ端末１０及び商品読取装置２０のハードウェア構成を示すブロック図である。ＰＯＳ端末１０は、情報処理を実行する情報処理部としてのマイクロコンピュータ１００を備える。マイクロコンピュータ１００は、各種演算処理を実行し各部を制御するＣＰＵ（Central  Processing  Unit）１０１に、ＲＯＭ（Read  Only  Memory）１０２とＲＡＭ（Random  Access  Memory）１０３とがバス接続されて構成されている。
【００１６】
ＰＯＳ端末１０のＣＰＵ１０１には、前述したキーボード１１、第１表示デバイス１２、タッチパネル１３、第２表示デバイス１４、ドロワ４０が何れも各種の入出力回路（何れも図示せず）を介して接続されている。これらは、ＣＰＵ１０１による制御を受ける。
【００１７】
キーボード１１は、数字や算術演算子が上面に表示されているテンキー１１ａ、仮締めキー１１ｂ、及び締めキー１１ｃ等を含む。
【００１８】
ＰＯＳ端末１０のＣＰＵ１０１には、ＨＤＤ（Hard  Disk  Drive）１０４が接続されている。ＨＤＤ１０４には、プログラムや各種ファイルが記憶されている。ＨＤＤ１０４に記憶されているプログラムや各種ファイルは、ＰＯＳ端末１０の起動時に、その全部又は一部がＲＡＭ１０３にコピーされてＣＰＵ１０１により実行される。ＨＤＤ１０４に記憶されているプログラムの例は、後述する売上登録処理や辞書登録処理用のプログラム等である。また、ＨＤＤ１０４に記憶されているファイルの例は、ＰＬＵファイルＦ１、辞書管理ファイルＦ２及び置換方法設定ファイルＦ３等である。
【００１９】
ＰＬＵファイルＦ１は、店舗に陳列して販売する商品Ｇの各々について、商品Ｇの売上登録に係る情報を格納する商品ファイルである。
【００２０】
以下の説明では、ＰＬＵファイルＦ１を辞書として用いるが、辞書はＰＬＵファイルＦ１と異なるファイルであってもよい。辞書は、撮像した画像データから抽出した商品の照合用データ（特徴量）を記憶する。辞書はＰＬＵファイルＦ１と異なるファイルである場合、辞書に記憶される照合用データ（特徴量）と、ＰＬＵファイルＦ１の情報（識別情報）とは対応付けられる。特徴量は、商品の標準的な形状、表面の色合い、模様、凹凸状況等の外観の特徴をパラメータ化したものである。
【００２１】
図３は、ＰＬＵファイルＦ１のデータ構成を例示する概念図である。図３に示すように、ＰＬＵファイルＦ１は、商品毎に、商品情報と、イラスト画像と、特徴量とを格納するファイルである。商品情報は、各商品にユニークに割り当てられた識別情報である商品ＩＤ、商品が属する商品分類、商品名、単価等の商品に関する情報を含む。イラスト画像は、その商品を写真やイラストで表した画像データである。
【００２２】
特徴量は、商品を撮像した画像から読み取られる色合いや表面の凹凸状況等、その商品の外観上の特徴を表した情報である。係る特徴量は、後述する類似度の判定の際に照合用のデータとして用いられる。なお、ＰＬＵファイルＦ１には、登録商品（商品ＩＤ）毎に、複数（例えば２０００個）の特徴量を登録（格納）することが可能な格納領域が確保されているものとする。
【００２３】
物品の品種まで認識（検出）する必要がある場合には、図３に示すように、品種毎に商品名や単価等の商品に関する情報と、その商品を示すイラスト画像と、特徴量とを管理する。例えば、物品のカテゴリ（商品名）が「ＹＹ」の場合において、「ＹＹ＿１」、「ＹＹ＿２」、「ＹＹ＿３」のような品種毎にその商品に関する情報と、イラスト画像と、特徴量とを管理する。また、候補の表示にイラスト画像を用いず、文字で候補を表示する場合は、イラスト画像をＰＬＵファイルＦ１に格納しなくてもよい。
【００２４】
辞書管理ファイルＦ２は、辞書であるＰＬＵファイルＦ１に登録された特徴量の更新日時や使用頻度等を記録するためのファイルである。
【００２５】
図４は、辞書管理ファイルＦ２のデータ構成を例示する概念図である。図４に示すように、辞書管理ファイルＦ２は、商品の商品ＩＤ毎に、管理番号と、更新日と、使用頻度順位とを格納するファイルである。
【００２６】
管理番号は、対応する商品（商品ＩＤ）の特徴量を登録（格納）するために確保された、ＰＬＵファイルＦ１の格納領域を管理するための番号である。例えば、２０００個分の特徴量を登録するため格納領域が２０００個用意されている場合、それらの格納領域に対し“１”から“２０００”の管理番号が昇順に割り当てられる。
【００２７】
更新日は、対応する管理番号の格納領域について、特徴量が登録された日時、或いは既存の特徴量に代えて新たな特徴量が登録された日時を示す日時情報である。使用頻度順位には、対応する管理番号の格納領域に格納された特徴量について、その使用頻度を示す順位が格納される。
【００２８】
置換方法設定ファイルＦ３は、ＰＬＵファイルＦ１に登録された既存の特徴量と、新たな特徴量とを置換する際の方法が設定されるファイルである。
【００２９】
図５は、置換方法設定ファイルＦ３のデータ構成を例示する概念図である。図５に示すように、置換方法設定ファイルＦ３は、商品の商品ＩＤ毎に、置換方法を格納するファイルである。置換方法には、ＰＬＵファイルＦ１に登録された既存の特徴量と、新たに登録する特徴量とを置換する際の方法を指示した情報が格納される。図５では、後述する３つの置換方法（第１〜第３）を格納した例を示している。なお、図５の置換方法設定ファイルＦ３では、商品（商品ＩＤ）毎に置換方法を設定する構成としているが、これに限らず、商品の品種毎に置換方法を設定する構成としてもよい。
【００３０】
図２に戻り、ＰＯＳ端末１０のＣＰＵ１０１には、ストアコンピュータＳＣとデータ通信を実行するための通信インターフェース１０５が入出力回路（図示せず）を介して接続されている。ストアコンピュータＳＣは、店舗のバックヤード等に設置されている。ストアコンピュータＳＣのＨＤＤ（図示せず）には、ＰＯＳ端末１０に配信されるＰＬＵファイルＦ１が格納されている。
【００３１】
更に、ＰＯＳ端末１０のＣＰＵ１０１には、商品読取装置２０との間でデータ送受信を可能にする接続インターフェース１０６が接続されている。接続インターフェース１０６には、商品読取装置２０が接続されている。また、ＰＯＳ端末１０のＣＰＵ１０１には、レシート等に印字を行うプリンタ１０７が接続されている。ＰＯＳ端末１０は、ＣＰＵ１０１の制御の下、一取引の取引内容をレシートに印字する。
【００３２】
商品読取装置２０も、マイクロコンピュータ２００を備える。マイクロコンピュータ２００は、ＣＰＵ２０１にＲＯＭ２０２とＲＡＭ２０３とがバス接続されて構成されている。ＲＯＭ２０２には、ＣＰＵ２０１によって実行されるプログラムが記憶されている。ＣＰＵ２０１には、撮像部２０４、音声出力部２０５が各種の入出力回路（何れも図示せず）を介して接続されている。撮像部２０４、音声出力部２０５は、ＣＰＵ２０１によって動作が制御される。
【００３３】
表示・操作部２３は接続インターフェース２０６を介して、商品読取部２１０及びＰＯＳ端末１０に接続されている。表示・操作部２３は、商品読取部２１０のＣＰＵ２０１、ＰＯＳ端末１０のＣＰＵ１０１によって動作が制御される。第１表示デバイス２５は、ＣＰＵ１０１やＣＰＵ２０１の制御の下、後述する商品候補画面（図８参照）等の各種画面を表示する。また、第１表示デバイス２５は、各種の業務を選択指示するための業務選択画面（図示せず）を表示する。業務選択画面は、例えば、売上登録や辞書登録等、後述する各処理の実行を指示するための選択メニューを有する。
【００３４】
撮像部２０４は、カラーＣＣＤイメージセンサやカラーＣＭＯＳイメージセンサ等の撮像装置である。撮像部２０４は、ＣＰＵ２０１の制御の下で読取窓２２からの撮像を行う。例えば、撮像部２０４は、３０ｆｐｓで動画像の撮像を行う。撮像部２０４が所定のフレームレートで順次撮像した画像（フレーム画像）はＲＡＭ２０３に保存される。
【００３５】
音声出力部２０５は、予め設定された警告音等を発生するための音声回路とスピーカ等である。音声出力部２０５は、ＣＰＵ２０１の制御の下で警告音や音声による報知を行う。
【００３６】
更に、ＣＰＵ２０１には、ＰＯＳ端末１０の接続インターフェース１０６に接続して、ＰＯＳ端末１０との間でデータ送受信を可能にする接続インターフェース２０７が接続されている。また、ＣＰＵ２０１は、接続インターフェース２０７を介して、表示・操作部２３との間でデータ送受信を行う。
【００３７】
次に、ＣＰＵ１０１がプログラムを実行することで実現される、ＰＯＳ端末１０の機能構成について、図６を参照して説明する。
【００３８】
図６は、ＰＯＳ端末１０の機能構成を示すブロック図である。ＰＯＳ端末１０のＣＰＵ１０１は、ＨＤＤ１０４に記憶されたプログラムを実行することにより、図６に示す各機能部を実現する。以下、各機能部について説明する。
【００３９】
まず、商品の売上登録に係る、画像取込部１１１、商品検出部１１２、類似度算出部１１３、類似度判定部１１４、商品提示部１１５、入力受付部１１６、情報入力部１１７及び売上登録部１１８について説明する。
【００４０】
画像取込部１１１は、撮像部２０４に撮像オン信号を出力して撮像部２０４に撮像動作を開始させる。画像取込部１１１は、撮像動作開始後に撮像部２０４が撮像してＲＡＭ２０３に保存された画像を順次取り込む。画像取込部１１１による画像の取り込みは、ＲＡＭ２０３に保存された順に行われる。
【００４１】
図７は、画像取込部１１１によって取り込まれた画像の一例を示す図である。図７に示すように、オペレータが読取窓２２に商品Ｇをかざすと、撮像部２０４の撮像範囲Ｒに入った商品Ｇの全部又は一部が、撮像部２０４により撮影される。画像取込部１１１は、撮像部２０４によって撮像された画像を順次取り込む。
【００４２】
商品検出部１１２は、画像取込部１１１により取り込まれた画像に含まれる商品Ｇの全部又は一部を、パターンマッチング技術等を用いて検出する。具体的には、取り込まれた画像を２値化した画像から輪郭線等を抽出する。次いで、前回の画像から抽出された輪郭線と、今回の画像から抽出された輪郭線とを比較して、売上登録のために読取窓２２にかざされた商品を検出する。
【００４３】
なお、商品を検出する別の方法としては、取り込まれた画像から肌色領域の有無を検出する。次いで、肌色領域が検出された場合、すなわち、店員の手が検出された場合は、この肌色領域の近傍において上述した輪郭線の検出を行う。これにより、店員の手が把持していると想定される商品の輪郭抽出を試みる。この時、手の形状を示す輪郭と、手の輪郭の近傍にそれ以外の物体の輪郭とが検出された場合、この物体の輪郭から商品を検出する。
【００４４】
類似度算出部１１３は、撮像部２０４により撮像された商品Ｇの全部又は一部の画像から、商品Ｇの色合いや凹凸状況等の表面の状態を特徴量として抽出する。なお、類似度算出部１１３は、処理時間の短縮を図るため、商品Ｇの輪郭や大きさは考慮しないものとする。
【００４５】
また、類似度算出部１１３は、ＰＬＵファイルＦ１に辞書登録された各商品（以下、登録商品）の特徴量と、商品Ｇの特徴量とを比較することで、商品Ｇと登録商品との類似度を算出する。ここで、類似度は、登録商品の画像を１００％＝「類似度：１．０」とした場合に、商品Ｇの全部又は一部の画像がどの程度類似しているかを示すものである。
【００４６】
より詳細には、類似度算出部１１３は、一の登録商品についてＰＬＵファイルＦ１に登録された各特徴量と、商品Ｇの特徴量とを比較することで類似度を算出する。例えば、類似度算出部１１３は、算出した類似度の中で最も高い値を代表値とし、その登録商品と商品Ｇとの類似度として採用する。そして、類似度算出部１１３は、代表値（類似度）の算出を各登録商品について実行し、その類似度が所定の閾値を上回った登録商品を、商品Ｇの候補として認識する。なお、代表値の採用方法は上記例に限らないものとする。また、色合いと表面の凹凸状況とでは、重み付けを変えて類似度を算出してもよい。
【００４７】
このように画像中に含まれる物体を認識することは一般物体認識（generic  object  recognition）と呼ばれる。このような一般物体認識については、下記の文献において各種認識技術が解説されている。
柳井  啓司，“一般物体認識の現状と今後”，情報処理学会論文誌，Ｖｏｌ．４８，Ｎｏ．ＳＩＧ１６  [平成２４年５月１９日検索]，インターネット<URL:  http://mm.cs.uec.ac.jp/IPSJ-TCVIM-Yanai.pdf  >
【００４８】
また、画像をオブジェクト毎に領域分割することによって一般物体認識を行う技術が、下記の文献において解説されている。
Jamie  Shottonら，“Semantic  Texton  Forests  for  Image  Categorization  and  Segmentation”，[平成２４年５月１９日検索]，インターネット<URL:  http://citeseerx.ist.psu.edu/viewdoc/download?doi=10.1.1.145.3036&rep=rep1&type=pdf  >
【００４９】
なお、撮像された商品Ｇの画像と、登録商品との類似度の算出方法は特に問わないものとする。例えば、撮像された商品Ｇの画像と、各登録商品との類似度を絶対評価として算出してもよいし、相対評価として算出してもよい。
【００５０】
類似度を絶対評価として算出する場合、撮像された商品Ｇの画像と、各登録商品とを１対１で比較し、この比較の結果導出される類似度をそのまま採用すればよい。また、類似度を相対評価として算出する場合、撮像された商品Ｇと、各登録商品との類似度の総和が１．０（１００％）となるよう算出すればよい。
【００５１】
また、類似度は、商品Ｇの特徴量と、ＰＬＵファイルＦ１に登録された商品の基準の特徴量とを比較し、両特徴量がどの程度類似しているかを示す値（類似度）であればよい。なお、類似度の概念は、この例に限らず、ＰＬＵファイルＦ１に登録された各登録商品の特徴量との一致度を示す値や、商品Ｇの特徴量とＰＬＵファイルＦ１に登録された各登録商品の特徴量とがどの程度相関するかを示す値であってもよい。
【００５２】
類似度判定部１１４は、算出した類似度のうち、その値が所定の閾値以上となる登録商品（商品ＩＤ）を、撮像部２０４で撮像された商品Ｇの候補（商品候補）として認識する。類似度が閾値以上の登録商品の中で、その値が他と比べて非常に高くなる登録商品が一つ存在するような場合には、その登録商品を確定商品として自動確定してもよい。なお、類似度の比較基準は任意に設定可能であるとする。
【００５３】
商品提示部１１５は、類似度判定部１１４で商品候補と認識された登録商品に関する情報を、第１表示デバイス２５に表示させる。より詳細には、商品提示部１１５は、商品候補として認識された登録商品のレコードをＰＬＵファイルＦ１から読み出し、第１表示デバイス２５の商品候補画面内に表示させる。
【００５４】
図８は、商品候補画面の表示例を示す図である。図８に示すように、第１表示デバイス２５に表示される商品候補画面Ａ１は、撮像画像領域Ａ１１と、商品候補領域Ａ１２とを含む。
【００５５】
撮像画像領域Ａ１１は、画像取込部１１１が取り込んだ撮像画像を表示するための領域である。撮像画像領域Ａ１１の下部には、部門コードや商品リスト等から手動で商品Ｇを認識（登録）するための手動登録ボタンＢ１が設けられる。ＣＰＵ２０１は、手動登録ボタンＢ１の操作に応じて、商品Ｇの認識（登録）を手動で行うための手動登録画面（図示せず）を第１表示デバイス２５に表示する。なお、手動登録画面を介して指定された商品は、確定商品として処理される。
【００５６】
商品候補領域Ａ１２は、商品候補として認識された登録商品に関する情報を表示するための領域である。商品候補領域Ａ１２には、表示領域Ａ２が配置される。図８では、商品候補領域Ａ１２に４つの表示領域Ａ２を設定した例を示しているが、表示領域Ａ２の個数は特に問わないものとする。商品提示部１１５は、表示領域Ａ２に、商品候補のイラスト画像や商品名等の商品情報（ＸＸ、ＸＡ等）を配置して表示する。なお、商品候補領域Ａ１２に表示された商品候補は、タッチパネル２４を介して選択可能に構成される。上記の構成により、商品読取装置２０のオペレータは、商品候補領域Ａ１２に表示された商品候補の中から、商品Ｇに該当する商品候補を確定商品として選択することができる。
【００５７】
入力受付部１１６は、タッチパネル２４又はキーボード２６を介して第１表示デバイス２５の表示に対応する各種入力操作を受け付ける。例えば、入力受付部１１６は、商品候補に対する選択操作に基づき、表示された商品候補の中から商品Ｇに該当する確定商品の選択操作を受け付ける。
【００５８】
情報入力部１１７は、入力受付部１１６が受け付けた操作内容に応じた情報を、接続インターフェース２０７を介して自装置に入力する。例えば、情報入力部１１７は、上述のようにして確定された確定商品について、その商品を示す情報（例えば、商品ＩＤや商品名等）を入力する。なお、情報入力部１１７は、タッチパネル２４又はキーボード２６を介して別途入力された販売個数を、商品ＩＤ等とともに入力するとしてもよい。
【００５９】
売上登録部１１８は、情報入力部１１７から入力された商品ＩＤと販売個数とに基づいて、対応する商品の売上登録を行う。具体的に、売上登録部１１８は、ＰＬＵファイルＦ１を参照して、通知された商品ＩＤ及び当該商品ＩＤに対応する商品分類、商品名、単価等を、販売個数とともに売上マスタファイル等に記録して売上登録を行う。
【００６０】
次に、辞書登録に係る機能構成について説明する。
【００６１】
上述したように、ＰＯＳ端末１０は、撮像部２０４により撮像した画像データから抽出した商品の特徴量と、辞書登録された特徴量との類似度に応じて、対象物の種別等を認識する一般物体認識を採用している。このような一般物体認識での認識精度は、辞書登録された特徴量の精度に依存する。係る特徴量は、認識時と同様に、登録対象の対象物を撮像した画像から抽出される。
【００６２】
ところで、認識精度の改善等のため、新たな特徴量を取得して辞書へ登録を行う、所謂学習を実施するような場合がある。このとき、辞書に登録できるデータ数は有限であるため、辞書に空領域がない場合には、元々登録されていたデータの一部と置換することが行われる。しかしながら、季節によって外観が変化する商品等もあるため、全ての商品について一様にデータの置換を行うと、かえって認識精度が低下してしまう可能性がある。
【００６３】
そこで、本実施形態のＰＯＳ端末１０では、ＰＬＵファイルＦ１へのデータ登録に関し、既存データとの置換方法を商品の種別毎に設定可能な構成を備える。具体的には、ＰＯＳ端末１０のＣＰＵ１０１は、ＨＤＤ１０４に記憶されたプログラムを実行することにより、図６に示すように、使用頻度記録部１２１、対象種別受付部１２２、置換方法設定部１２３、特徴量抽出部１２４及び辞書登録部１２５を、辞書登録に係る機能部として備える。
【００６４】
図９は、図６に示した辞書登録に係る機能部間の関係を示す図である。なお、画像取込部１１１については、上述した売上登録に係る機能部と同様であるため説明を省略する。また、タッチパネル２４又はキーボード２６を介した操作については、上述した入力受付部１１６及び情報入力部１１７（図示せず）等の機能を用いるものとする。
【００６５】
使用頻度記録部１２１は、類似度算出部１１３と協働することで、ＰＬＵファイルＦ１に登録された特徴量の使用頻度を記録する。特徴量が「使用」されたと判定する際の判定基準は特に問わず、種々の基準を採用することができる。例えば、登録商品に登録された複数の特徴量と商品Ｇとの類似度判定の際に代表値が設定されると、この代表値に採用された類似度に係る特徴量が使用されたと判定してもよい。また、登録商品について商品候補や確定商品が設定されると、この登録商品との類似度判定の際に代表値に採用された類似度に係る特徴量が使用されたと判定してもよい。
【００６６】
また、使用頻度記録部１２１は、使用されたと判定した各特徴量について、その使用回数や使用頻度を登録商品の種別（商品ＩＤ）毎に集計する。そして、使用頻度記録部１２１は、集計結果を、該当する商品ＩＤの管理番号のうち、その特徴量が格納された格納領域の管理番号に関連付けて、辞書管理ファイルＦ２の使用頻度順位欄に登録する。
【００６７】
なお、図５の辞書管理ファイルＦ２では、使用頻度の高い特徴量の順に順位を登録した例を示しているが、これに限らず、例えば使用回数を直接登録する形態としてもよい。また、特徴量の更新があった場合には、当該特徴量が格納された格納領域の格納番号の使用頻度（順位）はリセットするものとする。
【００６８】
対象種別受付部１２２は、辞書登録の対象となる対象物（対象商品）の種別の入力を受け付ける。具体的に、対象種別受付部１２２は、ＰＬＵファイルＦ１への特徴量の登録に際し、対象商品の種別として商品ＩＤの入力を受け付ける。なお、対象種別受付部１２２は、商品ＩＤの入力や選択を促すための操作画面を第１表示デバイス２５等に表示してもよい。
【００６９】
置換方法設定部１２３は、ＰＬＵファイルＦ１に登録された既存の特徴量と、新たに登録の対象となった特徴量との置換方法を設定する機能部である。置換方法としては、例えば以下の３つの方法が挙げられる。
【００７０】
第１の置換方法として、更新日の古いものから順に置換する方法が挙げられる。この第１の置換方法は、例えば季節によって外観が変化する商品（青果等）等に適用することが好ましい。これにより、現在とは異なる季節に登録した特徴量を排除し、現在の季節に適した特徴量を認識に用いることができるため、認識精度の向上を図ることができる。
【００７１】
第２の置換方法として、置換対象の特徴量をランダムに選択する方法が挙げられる。この第２の置換方法は、例えば全ての特徴量が略同等に使用されている商品等に適用することが好ましい。これにより、新たに登録した特徴量を用いて、認識精度の向上を図ることができる。
【００７２】
第３の置換方法として、使用頻度の少ないものから順に置換する方法が挙げられる。この第３の置換方法は、例えば一年を通じて外観が安定している商品に適用することが好ましい。これにより、使用頻度の少ない特徴量を排除し、新たに登録した特徴量を認識に用いることができるため、認識精度の向上を図ることができる。
【００７３】
置換方法設定部１２３は、対象商品の商品ＩＤに関連付けて、上記した３つの置換方法の何れかを置換方法設定ファイルＦ３に設定する。なお、置換方法設定部１２３は、置換方法の選択を促すための操作画面を第１表示デバイス２５等に表示してもよい。また、本実施形態では商品ＩＤ毎に置換方法を設定する形態としたが、商品の品種や商品名等の単位で置換方法を設定する形態としてもよい。
【００７４】
特徴量抽出部１２４は、画像取込部１１１が取り込んだ画像から特徴量を抽出する機能部である。具体的に、特徴量抽出部１２４は、画像に表された対象商品の形状、表面の色合い、模様、凹凸状況等の外観の特徴をパラメータ化した値を特徴量として抽出する。
【００７５】
辞書登録部１２５は、特徴量抽出部１２４が抽出した特徴量を、対象商品の商品ＩＤに関連付けて、辞書であるＰＬＵファイルＦ１に登録する。ここで、商品ＩＤ用の格納領域に空（空領域）がある場合、辞書登録部１２５は、当該格納領域に特徴量抽出部１２４が抽出した特徴量を空領域に登録する。また、全ての格納領域が登録済（格納済）である場合、辞書登録部１２５は、置換方法設定ファイルＦ３に設定された対象商品（商品ＩＤ）の置換方法を用いて、既存の特徴量と置換する。
【００７６】
例えば、対象商品に第１の置換方法が設定されている場合、辞書登録部１２５は、この商品の商品ＩＤに関連付けて登録された特徴量の中から、更新日が最も古いものを一つ選択する。そして、辞書登録部１２５は、選択した特徴量が格納されている格納領域に、特徴量抽出部１２４が抽出した特徴量を上書きすることでデータの置換を行う。
【００７７】
また、学習対象の商品に第２の置換方法が設定されている場合、辞書登録部１２５は、この商品の商品ＩＤに関連付けて登録された特徴量の中から、一の特徴量をランダムに選択する。そして、辞書登録部１２５は、選択した特徴量が格納されている格納領域に、特徴量抽出部１２４が抽出した特徴量を上書きすることでデータの置換を行う。
【００７８】
また、学習対象の商品に第３の置換方法が設定されている場合、辞書登録部１２５は、この商品の商品ＩＤに関連付けて登録された特徴量の中から、使用頻度順位が最も低いものを一つ選択する。そして、辞書登録部１２５は、選択した特徴量が格納されている格納領域に、特徴量抽出部１２４が抽出した特徴量を上書きすることでデータの置換を行う。
【００７９】
また、辞書登録部１２５は、格納領域に特徴量の登録や置換を行うと、辞書管理ファイルＦ２を参照し、対応する管理番号の更新日に現在日時を登録することで、更新を行う。
【００８０】
以下、チェックアウトシステム１の動作について説明する。まず、図１０を参照して、商品の売上登録に係る売上登録処理について説明する。図１０は、ＰＯＳ端末１０が実行する売上登録処理の一例を示すフローチャートである。
【００８１】
ＰＯＳ端末１０のＣＰＵ１０１は、第１表示デバイス１２に表示された業務選択画面（図示せず）のメニューから「売上登録」が選択されると、売上登録処理を開始する。まず、画像取込部１１１は、撮像部２０４に撮像オン信号を出力することで撮像動作を開始させる（ステップＳ１１）。これに伴い、画像取込部１１１は、撮像部２０４が撮像してＲＡＭ２０３に保存された画像を取り込む（ステップＳ１２）。
【００８２】
次いで、商品検出部１１２は、ステップＳ１２で取り込まれた画像から商品Ｇの全部又は一部の検出を行う（ステップＳ１３）。ステップＳ１３において、商品Ｇが検出されない場合には（ステップＳ１３；Ｎｏ）、ステップＳ１２に戻る。商品Ｇが検出された場合（ステップＳ１３；Ｙｅｓ）、類似度算出部１１３は、ステップＳ１２で取り込まれた画像から、ステップＳ１３で検出された商品Ｇの特徴量を抽出する（ステップＳ１４）。
【００８３】
次いで、類似度算出部１１３は、ステップＳ１４で抽出された特徴量と、ＰＬＵファイルＦ１に登録された各商品の特徴量とを比較し、その類似度をそれぞれ算出する（ステップＳ１５）。類似度判定部１１４は、ステップＳ１５で算出された類似度のうち、その値が所定の閾値以上の登録商品が存在するか否かを判定する（ステップＳ１６）。閾値以上の登録商品が存在しない場合（ステップＳ１６；Ｎｏ）、ステップＳ１２に戻る。また、閾値以上の登録商品が存在する場合（ステップＳ１６；Ｙｅｓ）、類似度判定部１１４は、その登録商品（商品ＩＤ）を商品候補として認識する。なお、使用頻度記録部１２１は、ステップＳ１５及びＳ１６において、類似度算出部１１３や類似度判定部１１４が使用した特徴量の使用回数（使用頻度）を辞書管理ファイルＦ２に計上する。
【００８４】
商品提示部１１５は、ステップＳ１６で認識された商品候補を第１表示デバイス２５に表示する（ステップＳ１７）。続いて、入力受付部１１６は、タッチパネル２４又はキーボード２６を介して、確定商品の選択を受け付けたか否かを判定する（ステップＳ１８）。確定商品の選択操作を受け付けない場合（ステップＳ１８；Ｎｏ）、ステップＳ１２に戻る。
【００８５】
また、ステップＳ１８において、確定商品の選択操作を受け付けると（ステップＳ１８；Ｙｅｓ）、情報入力部１１７は、その商品の商品ＩＤ等の情報を、ＰＯＳ端末１０に入力し（ステップＳ１９）、ステップＳ２０に移行する。タッチパネル２４又はキーボード２６を介して販売個数が別途入力された場合には、ステップＳ１９において、確定商品を示す情報とともに、その販売個数をＰＯＳ端末１０に入力するものとする。なお、販売個数の入力が行われない場合には、デフォルト値として販売個数“１”を出力する形態としてもよい。
【００８６】
次いで、売上登録部１１８は、ステップＳ１９で入力された商品ＩＤ及び販売個数に基づいて、ＰＬＵファイルＦ１から商品種別や単価等の商品情報を読み出し、売上マスタファイルに登録する（ステップＳ２０）。
【００８７】
続いて、ＣＰＵ１０１は、キーボード１１の操作指示による売上登録の終了等による業務終了の有無を判定する（ステップＳ２１）。業務を継続する場合（ステップＳ２１；Ｎｏ）、ＣＰＵ１０１は、ステップＳ１２へ戻り処理を継続させる。業務を終了する場合（ステップＳ２１；Ｙｅｓ）、画像取込部１１１は、撮像部２０４に撮像オフ信号を出力することで、撮像部２０４による撮像を終了させ（ステップＳ２２）、本処理を終了する。
【００８８】
次に、図１１を参照して、商品の辞書登録に係る辞書登録処理について説明する。図１１は、ＰＯＳ端末１０が実行する辞書登録処理の一例を示すフローチャートである。
【００８９】
ＰＯＳ端末１０のＣＰＵ１０１は、第１表示デバイス２５に表示された業務選択画面（図示せず）のメニューから「辞書登録」が選択されると、辞書登録処理を開始する。まず、対象種別受付部１２２は、対象商品の商品ＩＤが選択（入力）されるまで待機する（ステップＳ３１；Ｎｏ）。
【００９０】
対象商品の商品ＩＤが選択されると（ステップＳ３１；Ｙｅｓ）、置換方法設定部１２３は、置換方法設定ファイルＦ３を参照し、入力された商品ＩＤについて置換方法が設定済か否かを判定する（ステップＳ３２）。設定されていないと判定した場合（ステップＳ３２；Ｎｏ）、置換方法設定部１２３は、第１〜第３の置換方法の中から何れか１つを選択させる選択画面を、第１表示デバイス２５に表示させる（ステップＳ３３）。置換方法設定部１２３は、置換方法の選択を受け付けると、その選択方法を対象商品の商品ＩＤに関連付けて置換方法設定ファイルＦ３に設定し（ステップＳ３４）、ステップＳ３７に移行する。
【００９１】
一方、置換方法が設定済と判定した場合（ステップＳ３２；Ｙｅｓ）、置換方法設定部１２３は、その設定を変更するか否かを確認するための確認画面を第１表示デバイス２５に表示させる（ステップＳ３５）。なお、確認画面には、確認の対象となった置換方法の内容も表示することが好ましい。
【００９２】
設定変更が指示された場合（ステップＳ３６；Ｙｅｓ）、置換方法設定部１２３は、ステップＳ３３に移行することで置換方法を選択させる。また、設定変更が指示されない場合には（ステップＳ３６；Ｎｏ）、ステップＳ３７に移行する。
【００９３】
続いて、画像取込部１１１は、撮像部２０４に撮像オン信号を出力することで撮像動作を開始させる（ステップＳ３７）。これに伴い、画像取込部１１１は、撮像部２０４が撮像してＲＡＭ２０３に保存された画像を取り込む（ステップＳ３８）。次いで、特徴量抽出部１２４は、ステップＳ３８で取り込まれた画像から対象商品の特徴量を抽出する（ステップＳ３９）。
【００９４】
辞書登録部１２５は、ＰＬＵファイルＦ１に用意された対象商品（商品ＩＤ）用の格納領域に、ステップＳ３９で抽出された特徴量を格納するための空領域が存在するか否かを判定する（ステップＳ４０）。空領域が存在すると判定した場合（ステップＳ４０；Ｙｅｓ）、辞書登録部１２５は、ステップＳ３９で抽出された特徴量をその空領域に登録する（ステップＳ４１）。
【００９５】
一方、空領域が存在しないと判定した場合（ステップＳ４０；Ｎｏ）、辞書登録部１２５は、置換方法設定ファイルＦ３に設定された対象商品（商品ＩＤ）の置換方法を読み出す。そして、辞書登録部１２５は、読み出した置換方法に基づき、対象商品の商品ＩＤに関連付けてＰＬＵファイルＦ１に登録された既存の特徴量と、ステップＳ３９で抽出された特徴量とを置換する（ステップＳ４２）。
【００９６】
次いで、辞書登録部１２５は、辞書管理ファイルＦ２を参照し、特徴量の登録や置換を行った格納領域に対応する管理番号の更新日を更新する（ステップＳ４３）。
【００９７】
続いて、ＣＰＵ１０１は、キーボード１１の操作指示による辞書登録の終了等による業務終了の有無を判定する（ステップＳ４４）。業務を継続する場合（ステップＳ４４；Ｎｏ）、ＣＰＵ１０１は、ステップＳ３８へ戻り処理を継続させる。業務を終了する場合（ステップＳ４４；Ｙｅｓ）、画像取込部１１１は、撮像部２０４に撮像オフ信号を出力することで、撮像部２０４による撮像を終了させ（ステップＳ４５）、本処理を終了する。
【００９８】
以上のように、本実施形態のＰＯＳ端末１０によれば、対象商品の種別（商品ＩＤ）毎に設定された置換方法に基づき、辞書登録された既存の特徴量と新たな特徴量とを置換する。これにより、商品の種別に適した置換方法で辞書登録を行うことができるため、認識精度の向上を効率的に図ることができる。
【００９９】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【０１００】
例えば、上記実施形態では、ＰＯＳ端末１０がＰＬＵファイルＦ１、辞書管理ファイルＦ２、置換方法設定ファイルＦ３を備える形態としたが、これに限らないものとする。例えば、商品読取装置２０が上記各ファイルを備える形態としてもよいし、ＰＯＳ端末１０及び商品読取装置２０がアクセス可能な外部装置が各ファイルを備える形態としてもよい。
【０１０１】
また、上記実施形態では、辞書登録時の主な操作を商品読取装置２０で行う形態としたが、これに限らず、ＰＯＳ端末１０側で行う形態としてもよい。
【０１０２】
また、上記実施形態の辞書登録処理では、置換方法が設定済か否かの判定を辞書登録の前に行う形態としたが、これに限らないものとする。例えば、ＰＬＵファイルＦ１に空領域が存在しないと判定した後に、置換方法が設定済か否かの判定を行う形態としてもよい。また、辞書登録処理を実行するタイミングは特に問わず、売上登録処理の途中で実行する形態としてもよい。なお、売上登録処理の途中で実行する場合、ステップＳ１９で入力される商品ＩＤを、辞書登録の対象商品の種別としてもよい。
【０１０３】
また、上記実施形態では、使用頻度記録部１２１、対象種別受付部１２２、置換方法設定部１２３、特徴量抽出部１２４及び辞書登録部１２５の機能を有する情報処理装置としてＰＯＳ端末１０を適用したが、これに限らないものとする。例えば、商品読取装置２０を適用してもよい。
【０１０４】
また、上記実施形態では、店舗システムとしてＰＯＳ端末１０と商品読取装置２０とで構成されるチェックアウトシステム１を適用したがこれに限るものではなく、ＰＯＳ端末１０及び商品読取装置２０の機能を備えた１台構成の装置に適用するようにしてもよい。ＰＯＳ端末１０及び商品読取装置２０の機能を備えた１台構成の装置としては、スーパーマーケット等の店舗に設置されて用いられるセルフチェックアウト装置（以降、単にセルフＰＯＳと称する）が挙げられる。
【０１０５】
図１２はセルフＰＯＳ７０の構成を示す外観斜視図、図１３はセルフＰＯＳ７０のハードウェア構成を示すブロック図である。なお、以下では、図１及び図２に示される同様の構成については同一の符号を付して示し、その重複する説明を省略する。図１２及び図１３に示すように、セルフＰＯＳ７０の本体７１には、精算用の紙幣や硬貨の入金や釣り紙幣や硬貨の受け取りを行うための釣り銭器７２が設けられている。また、本体７１は、タッチパネル２４が表面に配設された第１表示デバイス２５を備えている。また、本体７１は、商品の種別等を認識（検出）するための商品読取部２１０を備えている。
【０１０６】
第１表示デバイス２５としては例えば液晶表示器が用いられる。第１表示デバイス２５は、客にセルフＰＯＳ７０の操作方法を知らせるための案内画面や、各種の入力画面や、商品読取部２１０で読み込んだ商品情報を表示する登録画面、商品の合計金額や預かり金額、釣銭額等を表示し、支払い方法の選択をする精算画面等を表示する。
【０１０７】
商品読取部２１０は、客が商品Ｇを読取窓２２にかざすことで、当該商品を表す画像を撮像部２０４により読み取るものである。
【０１０８】
本体７１の右側には、かごに入った未精算の商品を置くための商品載置台７３が設けられる。また、本体７１の左側には、精算済みの商品を置くための商品載置台７４が設けられる。商品載置台７４には、精算済みの商品を入れるための袋を掛けるための袋掛けフック７５や、精算済みの商品を袋に入れる前に一時的に置いておくための一時置き台７６が設けられている。また、商品載置台７３、７４には計量器７７、７８がそれぞれ備えられており、精算の前後で商品の重量が同じであることを確認する機能を有している。
【０１０９】
このような構成のセルフＰＯＳ７０を店舗システムに適用した場合、セルフＰＯＳ７０が情報処理装置として機能することになる。
【０１１０】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。更に、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１１】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【０１１２】
１  チェックアウトシステム
１０  ＰＯＳ端末
２０  商品読取装置
１２１  使用頻度記録部
１２２  対象種別受付部
１２３  置換方法設定部
１２４  特徴量抽出部
１２５  辞書登録部
Ｆ１  ＰＬＵファイル
Ｆ２  辞書管理ファイル
Ｆ３  置換方法設定ファイル
【先行技術文献】
【特許文献】
【０１１３】
【特許文献１】特開２０１３−８９０８５号公報
【図１】
2016012324.tif 000003
【図２】
2016012324.tif 000004
【図３】
2016012324.tif 000005
【図４】
2016012324.tif 000006
【図５】
2016012324.tif 000007
【図６】
2016012324.tif 000008
【図７】
2016012324.tif 000009
【図８】
2016012324.tif 000010
【図９】
2016012324.tif 000011
【図１０】
2016012324.tif 000012
【図１１】
2016012324.tif 000013
【図１２】
2016012324.tif 000014
【図１３】
2016012324.tif 000015